(57)【特許請求の範囲】
【請求項１】
パッケージラベル印字装置と管理サーバとが通信ネットワークを介して接続されたパッケージラベル印字システムであって、
パッケージラベル印字装置が、
通信ネットワークを介して受付けた販売情報と広告情報とを印字媒体の所定の領域にそれぞれ印字する印字手段、を備え、
管理サーバが、
少なくとも印字情報として前記販売情報と前記広告情報とを記憶する印字情報記憶手段と、
前記パッケージラベル印字装置の識別情報を記憶する印字装置識別情報記憶手段と、
管理者より指定を受けた印字情報の送信時刻と前記パッケージラベル印字装置の識別情報とを対応付けて記憶する設定情報記憶手段と、
時刻をカウントする時刻カウント手段と、
前記時刻が前記送信時刻となった際に、前記管理者より指定を受けた前記印字情報を、同じく前記管理者より指定を受けたパッケージラベル印字装置の識別情報に基づいて、当該識別情報で示されるパッケージラベル印字装置へ送信する印字情報送信手段と、を備える
ことを特徴とするパッケージラベル印字システム。
【請求項２】
パッケージラベル印字装置と管理サーバとが通信ネットワークを介して接続されたパッケージラベル印字システムにおけるパッケージラベル印字方法であって、
パッケージラベル印字装置が、
通信ネットワークを介して受付けた販売情報と広告情報とを印字媒体の所定の領域にそれぞれ印字し、
管理サーバが、
少なくとも印字情報として前記販売情報と前記広告情報とを記憶し、
前記パッケージラベル印字装置の識別情報を記憶し、
管理者より指定を受けた印字情報の送信時刻と前記パッケージラベル印字装置の識別情報とを対応付けて記憶し、
時刻をカウントし、
前記時刻が前記送信時刻となった際に、前記管理者より指定を受けた前記印字情報を、同じく前記管理者より指定を受けたパッケージラベル印字装置の識別情報に基づいて、当該識別情報で示されるパッケージラベル印字装置へ送信する
ことを特徴とするパッケージラベル印字方法。
【発明の詳細な説明】
【技術分野】
【０００１】
本発明は、スーパーマーケットなどの店舗において、販売商品のパッケージに貼付するラベルの印字を管理する、パッケージラベル印字システム及びパッケージラベル印字方法に関する。
【背景技術】
【０００２】
従来より、スーパーマーケットなどの店舗では、販売商品のパッケージ（例えばサラダや鮨などの調理品のパッケージ）に値段などのラベルを貼付して販売している。このラベルは通常、店舗の店員がパッケージに貼付を行なっている。また店舗が各地に散在しているような規模の大きいスーパーマーケットでは、時間帯に応じて価格を安く設定したラベルの貼付などを、例えば各店舗の店員が判断して行なっている。なお、ラベルを印字する技術について特許文献１が公開されている。
【特許文献１】特開２０００−４７８４１号公報
【発明の開示】
【発明が解決しようとする課題】
【０００３】
ここで、販売商品のパッケージにラベルを貼付する際の問題として、（１）規模の大きいスーパーマーケットでは各店舗の担当者ごとにラベルの貼り替えを行っているので、各店舗の統一的な販促効果を狙ったラベルの貼り替えなどが難しい、（２）パッケージラベルに貼付するラベルが複数ある場合には、そのラベル作成の作業が複数発生し面倒であった、（３）複数のラベルを貼付する場合において、貼るべき全てのラベルの貼り付ける作業が完了せずに店頭に出してしまうミスがあった、（４）本部からの指示を受けてからラベル作成完了までに時間がかかっていた、などの問題があり、これらの問題点を解決必要があった。
【０００４】
そこでこの発明は、販売商品のパッケージに貼付するラベル作成の手間を軽減し、また複数の店舗における販売促進の管理に自由度を持ち、当該販売促進の管理を臨機応変に対応することのできる、パッケージラベル印字システム及びパッケージラベル印字方法を提供することを目的としている。
【課題を解決するための手段】
【０００５】
上記目的を達成するために、本発明は、パッケージラベル印字装置と管理サーバとが通信ネットワークを介して接続されたパッケージラベル印字システムであって、パッケージラベル印字装置が、通信ネットワークを介して受付けた販売情報と広告情報とを印字媒体の所定の領域にそれぞれ印字する印字手段、を備え、管理サーバが、少なくとも印字情報として前記販売情報と前記広告情報とを記憶する印字情報記憶手段と、前記パッケージラベル印字装置の識別情報を記憶する印字装置識別情報記憶手段と、管理者より指定を受けた印字情報の送信時刻と前記パッケージラベル印字装置の識別情報とを対応付けて記憶する設定情報記憶手段と、時刻をカウントする時刻カウント手段と、前記時刻が前記送信時刻となった際に、前記管理者より指定を受けた前記印字情報を、同じく前記管理者より指定を受けたパッケージラベル印字装置の識別情報に基づいて、当該識別情報で示されるパッケージラベル印字装置へ送信する印字情報送信手段と、を備えることを特徴とするパッケージラベル印字システムである。
【０００７】
また本発明は、パッケージラベル印字装置と管理サーバとが通信ネットワークを介して接続されたパッケージラベル印字システムにおけるパッケージラベル印字方法であって、パッケージラベル印字装置が、通信ネットワークを介して受付けた販売情報と広告情報とを印字媒体の所定の領域にそれぞれ印字し、管理サーバが、少なくとも印字情報として前記販売情報と前記広告情報とを記憶し、前記パッケージラベル印字装置の識別情報を記憶し、管理者より指定を受けた印字情報の送信時刻と前記パッケージラベル印字装置の識別情報とを対応付けて記憶し、時刻をカウントし、前記時刻が前記送信時刻となった際に、前記管理者より指定を受けた前記印字情報を、同じく前記管理者より指定を受けたパッケージラベル印字装置の識別情報に基づいて、当該識別情報で示されるパッケージラベル印字装置へ送信することを特徴とするパッケージラベル印字方法である。
【発明の効果】
【０００９】
本発明によれば、規模の大きいスーパーマーケットにおいて、管理者の登録により一斉に広告情報などを表示したパッケージラベルを印刷制御することができるので、各店舗の担当者の対応にばらつきがなくなり、各店舗において販促効果を同時あげることができる。また１つのパッケージラベルの各領域に複数の情報が表示されるので、ラベル作成作業を軽減することができ、これにより業務効率を上げることができる。また１つのパッケージラベルとなるので、本部より指示のあった情報の商品への貼り忘れなどが軽減される。また管理サーバ１で印字処理を集中管理することができるので、各店舗の担当者がラベルを作成完了するまでの時間を短縮することができる。
【発明を実施するための最良の形態】
【００１０】
以下、本発明の一実施形態によるパッケージラベル印字システムを図面を参照して説明する。図１は同実施形態によるパッケージラベル印字システムの構成を示すブロック図である。この図において、符号１は管理サーバであり、複数の店舗を有するスーパーマーケットの本部などに設置されている。また２はパッケージラベル印字装置であり、管理サーバ１から受け付けた印字情報を印字する処理を行なう。パッケージラベル印字装置２は各店舗に設置されている。そして管理サーバ１とパッケージラベル印字装置２とは通信ネットワークを介して接続されている。またパッケージラベル印字装置２はプリンタ処理部３を備えている。なお図においてはプリンタ処理部３が装置本体と分離している様子を示しているが、これらは一体型の装置であってもよい。またパッケージラベル印字装置２は、各店舗に複数設置されていてもよい。
【００１１】
図２は管理サーバとパッケージラベル印字装置の機能ブロック図である。
図２に示すように管理サーバ１は、パッケージラベル印字装置１と情報を送受信する通信処理部と、管理サーバ１の各処理部を制御する制御部１２と、印字情報をパッケージラベル印字装置２へ送信する印字情報送信処理部１３と、各種データを記憶するデータベース１４とを備えている。また管理サーバ１は時刻をカウントするカウンタ１５を備えている。
【００１２】
また図２に示すようにパッケージラベル印字装置２は、管理サーバ１との間における情報の送受信を処理する通信処理部と、パッケージラベル印字装置２の各処理部を制御する制御部２２と、パッケージラベルを印字する印字処理部２３と、各種データを記憶する記憶部２４とを備えている。
【００１３】
そして、管理者の指示や設定されたプログラムの実行を契機に、管理サーバ１が印字情報を各店舗に設置されたパッケージラベル印字装置２に一斉に送信し、各店舗のパッケージラベル印字装置２が印字情報に含まれる、値段、店舗名、商品名、広告情報などを、ラベルの所定の領域にそれぞれ印字する処理を行ない、これにより、販売商品のパッケージに貼付するラベルの店舗担当者の作成の手間を軽減し、また複数の店舗における販売促進の管理を一元化する。
【００１４】
図３はパッケージラベル印字システムの処理フローを示す図である。
次に図３を参照し、本実施形態におけるパッケージラベル印字システムの処理フローについて説明する。
まず、管理者は管理サーバ１に、印字情報として、商品情報と広告情報、つまり商品情報として商品名、値段、店舗名、生産地情報などと、その商品に貼付する広告情報を登録する（ステップＳ１）。また印字情報には、商品名、値段、店舗名、生産地情報や広告情報をラベルのどの位置に印字するかを示す印字位置（ラベル上の座標など）が管理者の設定により登録される（ステップＳ２）。そして、印字情報は対応付けられてデータベース１４の保持する印字情報テーブルに記録される。また送信先として各パッケージラベル印字装置のＩＰアドレスがデータベース１４の保持する送信先テーブルに記録されている。なおこれらの印字情報は何らかの条件があった場合に、管理者が登録するようにしてもよい。例えば気温の低い冬の日であれば、鍋料理の食材の値下げをする為の印字情報などを登録する。
【００１５】
このような状況において、管理者は、ある商品の値段変更時において、管理サーバ１に登録した印字情報の送信を指示する。印字情報送信処理部１３は印字情報の送信指示を受付けると（ステップＳ３）、印字情報テーブルに記録されている印字情報と、送信先テーブルに記録されている各店舗に設置のパッケージラベル印字装置２のＩＰアドレスとを読み取る。そして印字情報送信処理部１３は、各ＩＰアドレス宛に印字情報を一斉送信する（ステップＳ４）。
【００１６】
なお、管理者が送信時刻を設定し、カウンタ１５で刻む時刻が送信時刻に達した場合に、印字情報送信処理部１３が印字情報を一斉に自動送信するように、送信時刻を登録しておくようにしてもよい。
【００１７】
パッケージラベル印字装置２は、印字情報を受信すると当該印字情報から商品名、値段、店舗名、生産地情報、広告情報などの印字する情報と、各情報の印字位置を読み取る。そして、それら読み取った情報をプリンタ処理部３に出力する（ステップＳ５）。プリンタ処理部３では、商品名、値段、店舗名、生産地情報、広告情報などの印字する情報を、それぞれの印字位置に基づいてラベルに印刷して出力する（ステップＳ６）。これにより管理担当者が登録した印字情報が、一斉に各店舗に配信されて、店舗の担当者の労力を掛けずにラベルの作成をすることができる。なお、印字情報には印字枚数などの、他の情報が含まれてもよい。
【００１８】
図４は、パッケージラベルのイメージ図である。
この図４において（ａ）は印字情報の印字前のラベル、また（ｂ）は印字情報の印字後のラベルである。印字処理部２３の処理により、図４で示すように印字情報の商品名、値段、店舗名、生産地情報、広告情報ごとに別々の印字領域に印字される。
【００１９】
以上の処理により、規模の大きいスーパーマーケットにおいて、管理者の登録により一斉に広告情報などを表示したパッケージラベルを印刷制御することができるので、各店舗の担当者の対応にばらつきがなくなり、各店舗において販促効果を同時あげることができる。また１つのパッケージラベルの各領域に複数の情報が表示されるので、ラベル作成作業を軽減することができ、これにより業務効率を上げることができる。また１つのパッケージラベルとなるので、本部より指示のあった情報の商品への貼り忘れなどが軽減される。また管理サーバ１で印字処理を集中管理することができるので、各店舗の担当者がラベルを作成完了するまでの時間を短縮することができる。
【００２０】
なお上述の管理サーバ、パッケージラベル印字装置はそれぞれ内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２２】
本発明のパッケージラベル印字システムのパッケージラベルとしては、従来のラベルを使用することができる。具体的には基材が紙、合成紙、ＯＰＰやＰＥＴなどのフィルムに感熱発色剤が塗工された感熱発色ラベルや、前記基材からなるインクジェット方式または転写方式のプリンターに使用可能なラベルが挙げられる。
感熱発色方式によるラベルを使用する場合、例えば、特開２００４−１８９２９７号公報に開示されている印字フィルムが利用できる。上記印字フィルムは、熱融着可能である基材の一方の表面に、感熱発色部、及び該基材と該感熱発色部とから剥離可能であり、厚さ0.1〜10.0μｍの剥離可能部を設けてなることを特徴としている。または、上記ラベルは、基材の一方の表面に、感熱発色部、離型部、及び該基材と該感熱発色部とから剥離可能であり、厚さ0.1〜10.0μｍの剥離可能部を設けてなると共に、該基材の他方の表面に粘着部を設けてなることを特徴とする様なものであってもよい。これにより、上記ラベルは、多くの商品情報や図柄等を表示することができ、また、貼付したラベルを容易に剥がすことができる。さらに、一旦剥がしたラベルは再び貼付することができないため、改ざんしたラベルを再び貼付する等の悪戯を完全に防止することができると共に、包装フィルム等とラベルの分別回収において、従来必要であった煩雑な作業を解消することができる。
本発明では、それぞれの印字方式に適応したラベルプリンターを用いることができる。
ラベルプリンターで印字されるラベルは表示する内容や包装体におけるラベル貼付デザイン等により、１枚あるいは複数枚が利用でき、それぞれ所定の位置に貼付することによって、情報の表示を行うことができる。
本発明のパッケージラベル印字システムを利用することで、さまざまな情報提供や販売促進策を一元化管理した包装体を提供することができる。
【図面の簡単な説明】
【００２３】
【図１】パッケージラベル印字システムの構成を示すブロック図である。
【図２】管理サーバとパッケージラベル印字装置の機能ブロック図である。
【図３】パッケージラベル印字システムの処理フローを示す図である。
【図４】パッケージラベルのイメージ図である。
【符号の説明】
【００２４】
１・・・管理サーバ
２・・・パッケージラベル印字装置
３・・・プリンタ処理部
【図１】
0004619929.tif 000002
【図２】
0004619929.tif 000003
【図３】
0004619929.tif 000004
【図４】
0004619929.tif 000005